(57)【要約】【課題】  仕様の異なる充電器を用いて充電を行っても、二次電池を満充電することが可能な充電制御回路を提供する。【解決手段】  充電対象装置の充電端子に充電器が接続され、充電器が電圧を印加すると、充電器が行う定電流充電の充電電流の大きさに応じて、充電時間の延長、及び、充電対象装置の動作の制限の少なくとも一方を行う。【選択図】  図２
2011083093.tif 000002
【特許請求の範囲】
【請求項１】
充電対象装置の充電端子に充電器が接続され、前記充電器が電圧を印加する段階と、
前記充電器が行う定電流充電の充電電流の大きさに応じて、充電時間の延長、及び、充電対象装置の動作の制限の少なくとも一方を充電制御回路が行う段階と
を含むことを特徴とする充電制御方法。
【請求項２】
定電流充電を開始した後、電池電圧が予め定められた電圧に達したことの検出に応じて、充電電流の大きさの判定の要否を判定することを特徴とする請求項１に記載の充電制御方法。
【請求項３】
前記充電制御回路は、予め定められた一乃至複数の閾値に対応するコンパレータ及びロジック回路を備え、前記コンパレータでの比較結果に応じて前記ロジック回路は充電電流の大きさに応じた動作を定めることを特徴とする請求項１に記載の充電制御方法。
【請求項４】
前記充電制御回路は、前記充電電流に対応するアナログ値をデジタル値に変換するアナログデジタルコンバータ及びロジック回路を備え、前記アナログデジタルコンバータが出力するデジタル値に応じて前記ロジック回路は充電電流の大きさに応じた動作を定めることを特徴とする請求項１に記載の充電制御方法。
【請求項５】
充電に先立って、二次電池と充電器を電気的に切り離し、前記充電対象装置の所定の正規の充電器が定電流充電を行うときに出力する電流よりも大きな予め定められた電流を、定電流回路から前記充電器に流したとき、電圧降下が生じるか否かに応じて、充電電流の大きさの判定の要否を判定することを特徴とする請求項１に記載の充電制御方法。
【請求項６】
充電対象装置の充電端子に充電器が接続され、前記充電器が電圧を印加すると、前記充電器が行う定電流充電の充電電流の大きさに応じて、充電時間の延長、及び、充電対象装置の動作の制限の少なくとも一方を行う充電制御回路。
【請求項７】
定電流充電を開始した後、電池電圧が予め定められた電圧に達したことの検出に応じて、充電電流の大きさの判定の要否を判定することを特徴とする充電制御回路。
【請求項８】
予め定められた一乃至複数の閾値に対応するコンパレータ及びロジック回路を備え、前記コンパレータでの比較結果に応じて前記ロジック回路は充電電流の大きさに応じた動作を定めることを特徴とする請求項６に記載の充電制御回路。
【請求項９】
前記充電電流に対応するアナログ値をデジタル値に変換するアナログデジタルコンバータ及びロジック回路を備え、前記アナログデジタルコンバータが出力するデジタル値に応じて前記ロジック回路は充電電流の大きさに応じた動作を定めることを特徴とする請求項６に記載の充電制御回路。
【請求項１０】
充電に先立って、二次電池と充電器を電気的に切り離すスイッチと、
前記充電対象装置の所定の正規の充電器が定電流充電を行うときに出力する電流よりも大きな予め定められた電流を前記充電器に流すための定電流回路と、
前記定電流回路から前記充電器に前記予め定められた電流を流したとき、電圧降下が生じるか否かに応じて、充電電流の大きさの判定の要否を判定するロジック回路と
を備えることを特徴とする請求項６に記載の充電制御回路。
【発明の詳細な説明】
【技術分野】
【０００１】
本発明は、携帯電話機等の充電対象装置にて用いる二次電池の充電の制御に関し、特に、仕様の異なる充電器を接続して行う充電の制御に関する。
【背景技術】
【０００２】
今日、携帯電話機をはじめとする携帯通信機器、携帯情報処理装置は高性能化及び多機能化が進んでおり、これに伴って消費電力も増加している。一般にこの種の装置の多くは電源として二次電池を用いている。高い消費電力であっても十分なバッテリ駆動時間を確保するため、電池パック容量の増加等が講じられてきている。
【０００３】
他方、バッテリ駆動時間を確保する別のアプローチとして、充電の機会を増やすことが考えられる。携帯電話機では、その携帯電話機のメーカー或いはその携帯電話機の通信事業者が提供する正規の充電器以外にも様々な形態の充電器が市販されており、ユーザは自分の使用環境に応じて好適な充電器を選択している。例えば、様々な通信事業者の携帯電話機や、携帯情報機器、携帯ゲーム機等、複数の種類の携帯機器への充電に対応するＡＣアダプタ、乾電池や他の充電済みの二次電池を電源として充電を行う充電器、或いは、コンピュータのＵＳＢ（Ｕｎｉｖｅｒｓａｌ  Ｓｅｒｉａｌ  Ｂｕｓ）ポートと携帯機器の充電用ポートとをケーブルで接続して充電を行うものなどがある。尚、最後の例は厳密に言えば充電器ではないが、本明細書ではこのような形態で充電を行う装置も充電器として扱うものとする。
【０００４】
こうした様々な形態の充電器は一律の充電能力をもつものではなく、充電器によって充電能力が異なるという実情がある。このため出力電流が低い充電器で充電することにより、次のような問題が生じることがある。
【０００５】
・充電中のシステム負荷が充電器の出力電流を上回り、充電が行われない。 
・充電は行われても、電池に流入する電流が不足するため、満充電までの所要時間が正規の充電器と比較して延びてしまう。 
・過充電防止等のため、充電対象の装置が充電タイマを備え、充電を一定時間に制限している場合に、満充電に至る前にタイムアウトになる。
【０００６】
本発明に関連する発明が記載された先行技術文献として、特許文献１を挙げる。
【先行技術文献】
【特許文献】
【０００７】
【特許文献１】特開２００１−２２８９３９
【発明の概要】
【発明が解決しようとする課題】
【０００８】
本発明はこのような状況に鑑みてなされたものであり、本発明が解決しようとする課題は、仕様の異なる充電器を用いて充電を行っても、二次電池を満充電することが可能な充電制御回路を提供することである。
【課題を解決するための手段】
【０００９】
上述の課題を解決するため、本発明は、その一態様として、充電対象装置の充電端子に充電器が接続され、充電器が電圧を印加する段階と、充電器が行う定電流充電の充電電流の大きさに応じて、充電時間の延長、及び、充電対象装置の動作の制限の少なくとも一方を充電制御回路が行う段階とを含むことを特徴とする充電制御方法を提供する。尚、充電電流とは、充電対象装置の負荷電流と、二次電池への流入電流の両方を含むものである。
【００１０】
また、本発明は、他の一態様として、充電対象装置の充電端子に充電器が接続され、充電器が電圧を印加すると、充電器が行う定電流充電の充電電流の大きさに応じて、充電時間の延長、及び、充電対象装置の動作の制限の少なくとも一方を行う充電制御回路を提供する。
【発明の効果】
【００１１】
本発明によれば、充電器が定電流充電を行う際の充電電流の大きさに応じて、充電時間や充電対象装置の動作を適宜制御し、充電時間の延長や、ユーザへの通知処理、表示装置、発光装置等の輝度の制限等の充電対象装置の動作制限をすることにより、定電流充電を行う時間を延ばし、或いは、充電中の充電対象装置における消費電力を削減する。これにより、充電対象装置の正規の充電器よりも出力電流が小さな充電器を用いて充電対象装置を充電しても、二次電池を満充電することができる。
【図面の簡単な説明】
【００１２】
【図１】充電制御回路１００のブロック図である。
【図２】本発明の一実施の形態である充電制御回路２００のブロック図である。
【図３】アダプタ電流検出回路１１２ａの構成を説明するためのブロック図である。
【図４】アダプタ電流検出回路１１２ｂの構成を説明するためのブロック図である。
【図５】充電制御回路２００の制御下において、充電対象装置における負荷が発生していない状態で、充電能力の異なる２つの充電器を用いて充電したときの充電特性について比較するための図である。
【図６】充電対象装置における負荷が発生している状態で充電したときに発生する、満充電に至らない状態で終了してしまう充電動作について説明するための図である。
【図７】充電器の電流能力判定のシーケンスを示す図である。
【図８】充電器の電流能力判定のタイミングチャートである。
【図９】判定した充電器の電流能力に応じて行うシステム的な対処とタイマ時間の延長倍率の例である。
【図１０】本発明の実施例２である充電制御回路３００のブロック図である。
【図１１】充電制御回路３００による充電器の電流能力判定シーケンスを示す図である。
【発明を実施するための形態】
【００１３】
本発明の実施の形態である充電制御回路２００について説明するのに先立って、充電制御回路１００について説明する。充電制御回路１００は、充電器（或いは充電アダプタ）１と二次電池である電池パック５との間に接続されて、電池パック５への充電を制御する回路である。充電制御回路１００は、電池パック５を電源として内蔵或いは接続して動作する、不図示の充電対象装置に内蔵される回路である。充電対象装置の例としては、携帯電話機、携帯情報端末、モバイルコンピュータ等、二次電池を電源とする様々な装置が考えられる。
【００１４】
充電制御回路５は、検出抵抗２、電界効果トランジスタ（ＦＥＴ）３、ＦＥＴ４、充電電流センス回路６、アンプ７、アンプ８、バッファ９、アダプタ電圧検出回路１０、電流検出回路１１、定電流用リファレンス回路１２、定電圧用リファレンス回路１３、電池電圧検出回路１４、充電制御ロジック回路１５、タイマ回路１６からなる。
【００１５】
充電制御回路１００の各部について説明する。充電器１は電池パック５に充電電流を供給する。検出抵抗２は充電電流をモニタするための抵抗器である。ＦＥＴ３は充電電流及び充電電圧を制御するためのものである。ＦＥＴ４は充電のオンオフを制御するためのものである。尚、ＦＥＴ４の出力は電池パック５と充電対象装置に接続されているので、充電器１は、電池パック５を充電するための電源としてだけではなく、充電対象装置のシステム電源としても同時に機能し、電池パック５を充電しながら充電対象装置に電源を供給する。充電電流センス回路６は検出抵抗２の両端から電流をモニタし、電圧に変換する。アンプ７はＦＥＴ３に対して充電電流の制御を行う。アンプ８はＦＥＴ８に対して充電電圧の制御を行う。バッファ９はＦＥＴ４をオンオフするために用いる。アダプタ電圧検出回路１０は充電器１の電圧をモニタし、異常な電圧もしくは充電可能な電圧を判定する。電流検出回路１１は充電電流センス回路６からリミット電流、充電完了電流を検出する。定電流用リファレンス回路１２は充電電流を定める。定電圧用リファレンス回路１３は充電電圧を定める。電池電圧検出回路１４は電池パック５の電池電圧を測定して充電状態を確認する。タイマ回路１６は充電開始後の経過時間を計測し、所定の時間になると充電制御ロジック回路１５に通知し、この通知を受けた充電制御ロジック回路１５は充電を終了する。充電制御ロジック回路１５は、アダプタ電圧検出回路１０、電流検出回路１１、電池電圧検出回路１４及びタイマ回路１６からの信号、並びに、不図示の温度センサが提供する温度情報、不図示のＣＰＵによる制御に基づいて充電動作を制御する。
【実施例１】
【００１６】
本発明の一実施例である充電制御回路２００について説明する。充電制御回路２００は充電制御回路１００と同様の充電対象装置に内蔵される回路であり、上述の充電制御回路１００の構成に加えて、アダプタ電流検出回路１１２、能力判定許可信号生成回路１７を備える。アダプタ電流検出回路１１２は電流検出回路１１の一部であり、充電器１が流せる最大電流を判定するための回路である。以下、充電器１が流せる最大電流をリミット電流と記す。リミット電流を測定するためには電池電圧を参照する必要があり、このために設けたのが能力判定許可信号生成回路１７である。能力判定許可信号生成回路１７は、電池電圧検出回路１４のモニタ信号に基づいて、充電器１の充電能力判定の実行を許可する許可信号を生成する回路である。
【００１７】
アダプタ電流検出回路１１２には２通りの構成が考えられる。それぞれをアダプタ電流検出回路１１２ａ、１１２ｂとして図３、図４に示す。
【００１８】
図３を参照すると、アダプタ電流検出回路１１２ａでは、充電電流センス回路６にてＩ−Ｖ変換された電圧を、それぞれ異なる閾値を有するコンパレータ１１２１、１１２２、１１２３にて比較し、これらの結果に基づいて充電制御ロジック回路１５が充電器１の充電電流の大きさがどの範囲にあるかを判定する。尚、ここではコンパレータ１１２１、１１２２、１１２３の閾値は、それぞれ６００ｍＡ、４００ｍＡ、２００ｍＡの電流に対応する電圧であるとする。
【００１９】
一方、図４を参照すると、アダプタ電流検出回路１１２ｂでは、充電電流センス回路６にてＩ−Ｖ変換された電圧を、Ａ／Ｄコンバータ１１２８でデジタルデータに変換し、そのデジタルデータに基づいて充電制御ロジック回路１５が充電器１の充電電流の大きさを判定する。
【００２０】
いずれの構成であっても、アダプタ電流検出回路１１２は、能力判定許可信号生成回路１７が生成した許可信号に応じて、リミット電流の範囲の判定、或いは、リミット電流の測定を行う。能力許可信号生成回路１７は電池電圧検出回路１４の検出状態に基づいて許可信号を生成する。
【００２１】
次に、充電制御回路２００の動作の概略について、リミット電流の大きさが異なる２種類の充電器を充電器１として接続したときのそれぞれの充電特性を互いに比較しつつ、図５を参照して説明する。説明の便宜上、ここではアダプタ電流が小さい方の充電器を充電器Ａ、大きい方を充電器Ｂと呼ぶものとする。双方ともに電池電圧が低いトリクル充電からの充電特性を記載している。充電器Ａ、Ｂのそれぞれについて、充電器電圧と時間の関係を示すグラフ、電池電圧と時間の関係を示すグラフを図５上に示し、充電電流と時間の関係を示すグラフを図５下に示す。尚、図５では、充電器は電池パックへの充電のための電源としてのみ作用し、充電対象装置のシステム電源としては作用していないこととする。
【００２２】
時刻ｔ０において充電器１が接続されると、電池電圧がある一定の電圧に達するまで少ない充電電流でトリクル充電が行われる。図５では充電器Ａ、Ｂ共に電池電圧が３．０Ｖに達する時刻ｔ１までトリクル充電を行っている。
【００２３】
ある一定の電圧を超えると、定電流充電が始まり、電池電圧が満充電電圧に達するまで、リミット電流、すなわち、充電器１で流すことができる最大の電流で充電が行われる。充電電流のグラフに示すように、充電器Ａ、Ｂのリミット電流の差によって満充電電圧（４．２Ｖ）に到達する時間が変わる。電池電圧のグラフが示すように、リミット電流が小さい充電器Ａで満充電電圧に達するのは時刻ｔ４であるが、リミット電流が大きい充電器Ｂでは時刻ｔ２であり、満充電電圧に至るまでの所要時間は充電器Ｂの方が短くなる。
【００２４】
電池電圧が満充電電圧に達すると、定電圧充電に切り替り、ＦＥＴ４はその電圧を超えないようにゲート電圧を制御しながら充電を行っていく。電池電圧グラフを参照すると、充電器Ａでは時刻ｔ４から時刻ｔ５の間に定電圧充電を行うが、充電器Ｂでは時刻ｔ２から時刻ｔ３の間に定電圧充電を行っている。
【００２５】
定電圧充電で電池側への充電電流が少なくなっていき、ある充電電流を下回ったのを検出すると、ＦＥＴ３、４をそれぞれオフすることにより充電を完了する。充電器のリミット電流が小さいほど、定電流充電の時間が長くなり、結果として充電時間が長くなる。
【００２６】
図５では、充電器は電池パックへの充電のための電源としてのみ作用し、充電対象装置のシステム電源としては作用していないことを前提としていた。即ち、充電器が供給する電力は全て電池パック５の充電に用いられていた。しかしながら、充電器からの電流が完全に電池パック５の充電に費やされるのは理想的な状態であって、実際には充電が始まって電池電圧が上昇すると充電対象装置のシステムが立ち上がるために、システム側でいくらかの電流は消費される。
【００２７】
このことを考慮したのが図６である。図６では、簡易的にシステムで消費される場合の充電特性を示している。この場合は、システムに電流が流れる区間では、その分電池に充電される電流が減少するために電池電圧の上昇が鈍くなっている。そのため、充電時間が長くなる。
【００２８】
タイマ回路１６にて充電時間に制限を設けている場合、図６に示すようにタイムアウトにより満充電に至らないまま充電を終了してしまうことが考えられる。特に、充電器のリミット電流が低く、システムで消費される電流が大きい場合には、タイムアウトによって満充電以前の充電終了が頻繁に発生すると考えられる。
【００２９】
このようなタイムアウトによる不完全な充電を防止するため、本発明では、充電対象装置に接続された充電器のリミット電流の情報を、充電の途中に或いは充電に先立って取得して、リミット電流の大きさに応じて充電対象装置側や充電制御回路側での対処を変更する。
【００３０】
図７を参照して、充電器の電流供給能力を判定する際の充電制御回路２００の動作について説明する。
【００３１】
充電器１が接続される（ステップＡ１）と、まず、アダプタ電圧検出回路１０にて充電器１の電圧を確認する（ステップＡ２）。
【００３２】
想定されている充電器電圧以上（ステップＡ２  Ｙｅｓ）であれば、システムの保護のために充電回路をオフ、すなわち制御用のＦＥＴ３、ＦＥＴ４をオフする（ステップＡ５）。もしシステムがオンしているようであれば、充電制御ロジック回路１５は、不図示の充電対象装置のＣＰＵを介して、充電対象装置のＬＣＤ等の画面表示装置でのメッセージ表示、所定のＬＥＤの点灯、明滅等により、想定されている電圧以上の充電器電圧を出力する充電器が接続されている旨をユーザに対して通知（ステップＡ６）させ、そのまま充電を停止する。
【００３３】
充電器電圧が異常でなければ（ステップＡ２−Ｎｏ）、充電制御ロジック回路１５は電池電圧検出回路１４を介して電池電圧を確認し、ある一定の電圧（ここでは３Ｖ）以下では電池の保護のためにトリクル充電を行う（ステップＡ４）。
【００３４】
トリクル充電において電池電圧が上昇し、一定電圧（３Ｖ）以上になると、充電制御ロジック回路１５は定電流用リファレンス回路１２、アンプ７、ＦＥＴ３を介して行う定電流充電を開始する（ステップＡ７）。
【００３５】
その後、充電制御ロジック回路１５は電池電圧検出回路１４を介して再度電池電圧を確認（ステップＡ８）し、満充電電圧に近い４Ｖに達していれば、充電制御ロジック回路１５は定電圧用リファレンス回路１３、アンプ８、ＦＥＴ３を介して行う充電を継続し、通常の充電動作と同様、充電電流が一定値以下になるまで充電制御を継続するか、もしくは充電開始から所定の時間が経過したことをタイマ回路１６にて計測すると充電を終了する。ここでは、充電の設定時間の延長や充電対象装置での対処は行わない。これは、既に満充電電圧付近に達していることから、今後仮に充電対象装置にてシステム負荷が大きくなったとしても、タイマの設定時間の範囲内で満充電に達する可能性が高く、システム側での対処は特に必要ないと考えられるからである。
【００３６】
逆にステップＡ８での電池電圧確認において、電池電圧が４Ｖに達していない場合は、図５からわかるように定電流充電領域になっており、充電器アダプタで流せるだけの電流を流すことから、このポイントでの電流値をモニタすることによって（ステップＡ９）、システム側での対処の有無を判断する（ステップＡ１０）。
【００３７】
ここで図８を参照してステップＡ９における充電電流測定について更に説明する。充電状態がトリクル充電から定電流充電になると、即ち、電池電圧検出回路１４による電池電圧の測定結果が３．０Ｖ以上で満充電電圧以下であると、能力判定許可信号生成回路１７は許可信号を生成する。図８では、能力判定許可信号生成回路１７は電池電圧が３．１〜４Ｖの範囲で許可信号を出力している。許可信号を受けた充電制御ロジック回路１５は、アダプタ電流検出回路１１２に対して測定要求を出力し、この測定要求に応じて、アダプタ電流検出回路１１２は充電電流センス回路６を介して充電器１の電流値を測定する。測定した電流値の領域もしくは値を持って電流能力を判定し、システムによる制御が行われる。
【００３８】
電流のモニタ方法に関しては、図３にあるように充電電流が、ある一定の範囲にあることをモニタするようにコンパレータで検出を行うか、もしくは図４のように充電電流をＩ−Ｖ変換した電圧でＡ／Ｄ変換することによってデジタル的に電流値をモニタすることができる。
【００３９】
充電対象装置の正規の充電器のように、電流能力の高い充電器、即ちモニタして電流値が推定される電流値より高い充電器に関しては、特に対処する必要がなく充電動作は継続する。
【００４０】
一方で補助的な充電アダプタなどの電流能力の低いものに関しては、制御によって充電タイマの延長や、高負荷となる機能の制限などの対処を行う（ステップＡ１１）。
【００４１】
ステップＡ１１における対処の例を図９に示す。本例では、リミット電流が６００ｍＡ以上であるならば特にシステム的に対処はしない。リミット電流が４００〜６００ｍＡであれば、ユーザにアダプタ電流が低く充電完了までに時間がかかることをＬＥＤやＬＣＤを介して通知するとともに、タイマの設定時間を１．５倍にして充電時間を増やすことにより、タイムアウトによる充電不足を防止する。リミット電流が２００〜４００ｍＡであれば、タイマの設定時間を２倍にするとともに、ユーザにその旨を通知する。リミット電流が２００ｍＡ以下であればタイマの設定時間を３倍にし、ＬＥＤやＬＣＤの輝度を落とす等、充電対象装置の機能制限を設け、充電所要時間の延長と充電対象装置の機能制限を通知するメッセージをユーザに通知するなどの措置をとる。
【００４２】
ユーザへの通知（ステップＡ１２）は、前述したようにＬＥＤやＬＣＤなどを介してユーザに「アダプタの充電電流が低いので充電時間が長くなる」ことや、機能の使用制限などを伝えることで充電状況を認知してもらい、充電動作を継続する。
【実施例２】
【００４３】
実施例１では、二次電池の充電を開始した後で充電器のリミット電流を測定した。これに対して実施例２では、二次電池の充電に先立って充電器のリミット電流を測定する。即ち、実施例２では、充電を開始する前に、電池パック５への充電パス（ＦＥＴ４）を遮断しておいて、充電器１が流せる最大の電流を流すことによって、充電器の電流能力を判定する。
【００４４】
図１０を参照して説明すると、充電制御回路３００は、充電制御回路２００に対して、電流引き込み回路１８を追加し、能力判定許可信号生成回路１７を削除した構成を有する。
【００４５】
電流引き込み回路１８は、引き込みラインのスイッチ１８１と、電圧のフィードバック切り替え用のスイッチ１８２と、制限抵抗１８３と定電流回路１８４から構成される。
【００４６】
尚、実施例１では、充電器の電流能力判定は定電流充電領域時に確認するためのものであったが、本実施例では、電池電圧に関係なく電流能力判定を行うために不要となったため、能力判定許可信号生成１７を備えていない。
【００４７】
図１１を参照して充電制御回路３００による充電器の電流能力判定動作について説明する。充電器１が接続される（ステップＢ１）と、充電制御ロジック回路１５はアダプタ電圧検出回路１０を介して充電器１の電圧を確認して充電器異常であるかを判定する（ステップＢ２）。
【００４８】
充電器１の電圧が異常であれば、充電対象装置の表示装置等を介したユーザ通知等を行い（ステップＢ３）、充電を停止する。
【００４９】
充電器１の電圧が異常でなければ、ＳＷ１８１をオンにし、ＳＷ１８２を電流引込回路側に接続する。このとき、ＦＥＴ３はオンにし、ＦＥＴ４は電池側に電流が流れないようにオフしておく（ステップＢ４）。
【００５０】
次いで電流引込回路１８から充電器１に対し、定電流回路１８４が出力する定電流を流し込む（ステップＢ５）。定電流回路１８４が出力する定電流の大きさは、充電対象装置の正規の充電器のリミット電流より大きい、予め定められた電流とする。このとき、充電器側で電流制限がかかる場合は、制限電流以上の電流を流すことができないため、電圧降下が発生する。一方で電流制限のかからない充電器では電圧降下は発生しない。
【００５１】
電圧降下が発生する（ステップＢ６−Ｙｅｓ）場合、充電器１の電流能力を判定する（ステップＢ９）。充電器で流せる電流が所定の正規の充電器の電流値の範囲であれば、システム的な対処やユーザ通知は特に行わない。充電器で流せる電流が正規の範囲以下であれば、図９に示したシステム的な対処（ステップＢ１０）や、ユーザへの通知を行う（ステップＢ１１）。それらが完了した後、ＳＷ１８１、ＳＷ１８２の設定を変更し、電流の引き込みをオフし（ステップＢ１２）、通常の充電を行う（ステップＢ１３）。
【００５２】
一方、電流引込回路１８によって電圧降下が発生しない場合（ステップＢ６−Ｎｏ）、過電流が電池側に流れないように充電制御回路側で充電電流に制限をかける（ステップＢ７）と共に、ユーザに異常アダプタであることを通知する（ステップＢ８）。それらが完了した後、ＳＷ１８１、ＳＷ１８２の設定を変更し、電流の引き込みをオフし（ステップＢ１２）、電制御回路側で充電電流に制限をかけた状態で充電が行われる（ステップＢ１３）。このとき、充電電流の制限に関しては、充電時の発熱を考慮して推奨電流値の半分以下が望ましい。
【００５３】
実施例１及び２によれば、充電器の電流能力が小さいことを判定することにより、充電タイマを延長するなどのシステムでの対応が可能にできる。また、充電器の電圧と電流能力によっておおよそではあるが充電器が正規品であるか否かの判別を行うことができる。更に、ユーザに充電器の能力によって充電時間がかかるなどの情報を通知し、充電状況をユーザに認知させることができる。
【符号の説明】
【００５４】
１  充電器（或いは充電アダプタ）
２  検出抵抗
３、４  電界効果トランジスタ（ＦＥＴ）
５  電池パック
６  充電電流センス回路
７、８  アンプ
９  バッファ
１０  アダプタ電圧検出回路
１１  電流検出回路
１２  定電流用リファレンス回路
１３  定電圧用リファレンス回路
１４  電池電圧検出回路
１５  充電制御ロジック回路
１６  タイマ回路
１００、２００、３００  充電制御回路
【図１】
2011083093.tif 000003
【図２】
2011083093.tif 000004
【図３】
2011083093.tif 000005
【図４】
2011083093.tif 000006
【図５】
2011083093.tif 000007
【図６】
2011083093.tif 000008
【図７】
2011083093.tif 000009
【図８】
2011083093.tif 000010
【図９】
2011083093.tif 000011
【図１０】
2011083093.tif 000012
【図１１】
2011083093.tif 000013